Podtech/llm-jp-corpus-v4-ja_patent huggingface dataset:
(57)【要約】      （修正有）【課題】ラトル音の防止に繋がる予圧機構を採用した上で，噛み合い部におけるウォームホイールのピッチ円の接線とウォームの中心軸を平行に維持した機構にでき、適切なウォームギア噛み合いを得ることが可能となる。【解決手段】ウォーム１とウォームホイール２からなるウォームギアとハウジングを有する電動式パワーステアリング装置において、前記ハウジングは、ウォーム側ハウジング３とウォームホイール側ハウジング４を有し、前記ウォーム側ハウジング３とウォームホイール側ハウジング４の間に、スペーサー５を有することを特徴とする。【選択図】図１
2016141352.tif 000002
【特許請求の範囲】
【請求項１】
ウォームとウォームホイールからなるウォームギアとハウジングを有する電動式パワーステアリング装置において、前記ハウジングは、ウォーム側ハウジングとウォームホイール側ハウジングを有し、前記ウォーム側ハウジングとウォームホイール側ハウジングの間に、スペーサーを有することを特徴とする電動式パワーステアリング装置。
【発明の詳細な説明】
【技術分野】
【０００１】
本発明は電動式パワーステアリング装置に関し、特にウォームギアを用いる電動式パワーステアリング装置に関する。
【背景技術】
【０００２】
従来から一般的に使用されている電動式パワーステアリング装置の場合、電動モータとステアリングシャフトとの間に設ける減速機として、ウォーム減速機を使用している。但し、このウォーム減速機には不可避のバックラッシュが存在する。又、このバックラッシュは、ウォーム軸と、ウォームホイールと、これら各部材を支持する為の軸受等の、上記ウォーム減速機の各構成部材の寸法誤差や、組み付け誤差が大きくなる程、大きくなる。この様に、大きなバックラッシュが存在すると、これらウォームホイールとウォームとの一部の歯面同士が強く衝合して、耳障りな歯打ち音が発生する可能性がある。
【０００３】
特許文献１や特許文献２には、この様な事情に鑑みて、上記バックラッシュを小さくする事を考慮した電動式パワーステアリング装置が記載されている。この電動式パワーステアリング装置は、本案と同様に、ウォーム減速機においてウォームホイールに向かう方向にウォームに予圧を発生させることで、ウォームホイールとウォームからなるウォームギアの噛み合いにおけるバックラッシュを無くすことが可能となり、ウォームギアの噛み合いによるラトル音を防止する効果がある特許である。
【先行技術文献】
【特許文献】
【０００４】
【特許文献１】特開２００４−３０６８９８号公報
【特許文献２】特開２００６−１０３３９１号公報
【発明の概要】
【発明が解決しようとする課題】
【０００５】
しかしながら、特許文献１はウォームを支持する２つの軸受のうち、片側のみにトーションバネを用いて力を発生させており、特許文献２はウォームの中心軸を傾ける機構とすることで、予圧を発生させている。このため、噛み合い部におけるウォームホイールのピッチ円の接線とウォームの中心軸が平行とならないことにより、適切なウォームギアの噛み合いが得られず、ウォームとウォームホイールの寿命が低減する可能性があるとの問題があった。
【０００６】
そこで本発明は、ラトル音の防止に繋がる予圧機構を採用した上で、噛み合い部におけるウォームホイールのピッチ円の接線とウォームの中心軸を平行に維持した機構にでき、適切なウォームギア噛み合いを得ることが可能となる。よって、ウォームとウォームホイールの寿命に対して有利に働く効果を有するため、電動式パワーステアリング装置の新規開発で、モータの高トルク化やウォームギアの小型化などが進んだ際に求められることが想定される、ウォームギアの限界設計にも対応しやすくすることを目的とする。
【課題を解決するための手段】
【０００７】
上記課題を解決するために本発明は、ウォームとウォームホイールからなるウォームギアとハウジングを有する電動式パワーステアリング装置において、前記ハウジングは、ウォーム側ハウジングとウォームホイール側ハウジングを有し、前記ウォーム側ハウジングとウォームホイール側ハウジングの間に、スペーサーを有することを特徴とする。
【発明の効果】
【０００８】
本発明によれば、ラトル音の防止に繋がる予圧機構を採用した上で、ウォームホイールのピッチ円の接線とウォームの中心軸を平行に維持した機構にでき、適切なウォームギア噛み合いを得ることが可能となる。よって、ウォームとウォームホイールの寿命に対して有利に働く効果を有するため、電動式パワーステアリング装置の新規開発で、モータの高トルク化やウォームギアの小型化などが進んだ際に求められることが想定される、ウォームギアの限界設計にも対応しやすい。
【図面の簡単な説明】
【０００９】
【図１】本発明の電動式パワーステアリング装置の部分断面図である。
【図２】図１のＡ−Ａ断面図である。
【発明を実施するための形態】
【００１０】
以下、本発明に関して詳細に説明する。
【００１１】
図１と図２は、本発明の電動式パワーステアリング装置の部分断面図であり、前記電動式パワーステアリング装置は、ウォーム１とウォームホイール２からなるウォームギアとハウジングを有している。前記ハウジングは、ウォーム側ハウジング３とウォームホイール側ハウジング４を有し、前記ウォーム側ハウジング３とウォームホイール側ハウジング４の間に、スペーサー５を有する。また、前記ウォーム１は、複数の軸受６によって支持されている。また、ウォーム側ハウジング３とウォームホイール側ハウジング４は、スペーサー５を間に挟んだ状態で、例えば、ボルト７により、固定されている。また、前記スペーサー５の役割として、ウォームホイール２のピッチ円の接線とウォーム１の中心軸を平行に維持できれば良い。例えば、鋼等の金属板を用いた場合は金属板の厚みをもって、樹脂やゴム等の鋼よりも高弾性の材料を用いた場合は材料の弾性率をもって、バネやダンパー等の機械要素を用いた場合はその剛性係数や減衰係数をもって、予圧量を調整出来る。
【００１２】
前記スペーサー５の厚みを調整したり、樹脂やゴム等の高弾性の材料やバネやダンパー等の機械要素等を用いることにより、前記ウォーム１とウォームホイール２の間のバックラッシュが減少するように調整可能であり、ラトル音の防止に繋がる予圧機構を採用した上で，噛み合い部におけるウォームホイール２のピッチ円の接線とウォーム１の中心軸を平行に維持した機構にでき、適切なウォームギア噛み合いを得ることが可能となる。よって、ウォーム１とウォームホイール２の寿命に対して有利に働く効果を有するため、電動式パワーステアリング装置の新規開発で、モータの高トルク化やウォームギアの小型化などが進んだ際に求められることが想定される、ウォームギアの限界設計にも対応しやすい。
【符号の説明】
【００１３】
１  ウォーム
２  ウォームホイール
３  ウォーム側ハウジング
４  ウォームホイール側ハウジング
５  スペーサー
６  軸受
７  ボルト
【図１】
2016141352.tif 000003
【図２】
2016141352.tif 000004
(57)【要約】      （修正有）【課題】窓ガラスなどの清掃はサイズにより手間がかかると共に、窓やシャワーブースのガラスは通常垂直に設置されているので清掃しにくいが、これらの垂直に設置されているガラスを自動清掃することのできる清掃ロボットを提供する。【解決手段】ガラスを清掃するロボットは、本体Ａ１とサブ本体Ｂ１がガラスを挟み、本体Ａ１の強力磁石Ａ６、サブ本体Ｂ１の強力磁石Ｂ２がガラスをはさみ引き合ってロボットの落下を防ぎ、自走部Ａ５によってガラス上を自走することにより、備え付けられた清掃器具Ａ４によりガラス表面を清掃する。【選択図】図１
2016030197.tif 000002
【特許請求の範囲】
【請求項１】
本体Ａ１にバッテリーＡ２、アルゴリズム格納部Ａ３、清掃器具Ａ４、自走部Ａ５、強力磁石Ａ６、スイッチＡ７およびガラスを挟みサブ本体Ｂ１、強力磁石Ｂ２から構成されるガラス清掃ロボットにおいて、強力磁石Ａ６およびＢ２がガラスを挟み引き合うため本体Ａ１およびサブ本体Ｂ１の落下を防ぎ、本体Ａ１のスイッチＡ７を入れるとアルゴリズム格納部Ａ３のアルゴリズムに従い自走部Ａ５を制御して本体Ａ１を自走させ清掃器具Ａ４により清掃を行うことが可能となる。本体Ａ１の自走に伴いサブ本体Ｂ１もガラスを挟み常に追随するものとする。（図１）
【請求項２】
請求項１に関連し、サブ本体Ｂ１側にも清掃器具Ｂ３を備えることにより、本体Ａ１と対になりガラスの両面を同時に清掃可能なロボット（図２）
【請求項３】
請求項２に関連し、本体Ａ１に付属する清掃器具Ａ４または請求項２のＢ３またはその両方が水や洗剤のタンクＡ８を有し清掃時に活用することが可能な清掃ロボット（図３）
【請求項４】
請求項１に関連し、本体Ａ１またはサブ本体Ｂ１またはその両方にセンサＡ９を有し、アルゴリズム格納部Ａ３に格納されたアルゴリズムにより本体Ａ１が自走すべき範囲を判断することが可能な清掃ロボット（図４）。これにより、ガラスでできたシャワーブースの扉など縁が無い場合でもガラス上から逸脱したり落下を防ぐことが可能となる。
【請求項５】
請求項１に関連し、本体Ａ１およびサブ本体Ｂ１がガラス面に沿って湾曲する素材・構造または強力磁石Ａ６，Ｂ２の凹凸に対応した構造を持つことにより湾曲形状のガラス表面を清掃可能なロボット（図５）
【請求項６】
請求項１に関連し、強力磁石Ａ６およびＢ２が電磁石の構成となりガラス表面から落下しないよう制御可能な清掃ロボット。
【請求項７】
請求項６に関連し、電磁石Ａ６およびＢ２の制御により自走部の役割を行い自走することが可能な清掃ロボット（図６）
【請求項８】
請求項１に関連し、本体Ａ１がタイマＡ１０を有し決まった日付・曜日・時刻での清掃開始が可能な清掃ロボット（図７）
【発明の詳細な説明】
【技術分野】
【０００１】本発明は、窓などのガラス両面を掃除するロボットに関するものである
【背景技術】
【０００２】窓などのガラスは目立たないが絶えず汚れが着いており、またシャワーブースなどのガラスも拭かずに放っておくとカルキが付着し落としにくい。これらのガラスは頻繁に掃除するには手間がかかるため自動的に掃除できれば便利である。
【先行技術文献】
【特許文献】
【特許文献】なし
【非特許文献】
【非特許文献】なし
【発明の概要】
【発明が解決しようとする課題】
【０００３】解決しようとする問題点は、ガラスの清掃に関するものである。
通常窓ガラスを拭くためには腰を屈める低い位置から台などを用意しなければならないような背の届きにくい高い位置まで手を動かす必要がある場合がある。しかも両面の清掃が必要な場合もある。
また、シャワーブースのガラスや風呂場の扉は水滴を放っておくとカルキが残り、掃除を怠ると落とすのに苦労する場合がある。シャワーのたびに清掃するのは面倒な場合がある。
ロボットに清掃させようとした場合、ガラスは垂直に設置されることが多いため通常の方法では困難であった。
【課題を解決するための手段】
【０００４】本発明は、ガラスを清掃するロボットに関するものであり、強力磁石を備えガラスを両面から挟みガラス上を自走することによりガラス表面を清掃可能なロボットで構成されることを特徴とする。
【発明の効果】
【０００５】本発明のガラス清掃ロボットにより自動的にガラスを片面または両面同時に清掃することが可能となる。
【図面の簡単な説明】
【０００６】
【図１】ガラス清掃ロボットの基本構成を示す図である。本体Ａ１にバッテリーＡ２、アルゴリズム格納部Ａ３、清掃器具Ａ４、自走部Ａ５、強力磁石Ａ６、スイッチＡ７およびガラスを挟みサブ本体Ｂ１、強力磁石Ｂ２から構成される。
【図２】図１の本体Ａ１にセンサＡ８を追加した図である。
【図３】図１の
【図４】
【発明を実施するための形態】
【０００７】図面を参照しながら本発明の実施の形態を説明する。図１は本発明の基本的な構成を示しており、本体Ａ１にバッテリーＡ２、アルゴリズム格納部Ａ３、清掃器具Ａ４、自走部Ａ５、強力磁石Ａ６、スイッチＡ７およびガラスを挟みサブ本体Ｂ１、強力磁石Ｂ２から構成される。
【実施例】
【０００８】  窓などのガラスを両面から挟むように本体Ａ１とサブ本体Ｂ１を設置する。強力磁石によりＡ１とＢ１が対で動作するため垂直でも滑り落ちることなく留まることが可能である。スイッチＡ７を押すことによりアルゴリズム格納部Ａ３に格納されたアルゴリズムに従いガラス表面上を自動的に清掃することが可能である。
【産業上の利用可能性】
【０００９】本発明により以下の使用法が可能となる。
・不在時または在宅時における窓ガラスの自動清掃。
・シャワーブースのガラスやシャワールームの扉の自動清掃。
・ガラスや薄い素材のテーブル等の自動清掃。
・ビルやホテルの窓など産業用の活用。危険の回避や人件費の低減を見込むことが可能となる。
【符号の説明】なし
【受託番号】なし
【配列表フリーテキスト】なし
【図１】
2016030197.tif 000003
【図２】
2016030197.tif 000004
【図３】
2016030197.tif 000005
【図４】
2016030197.tif 000006
【図５】
2016030197.tif 000007
【図６】
2016030197.tif 000008
【図７】
2016030197.tif 000009
【手続補正書】
【提出日】平成26年9月6日(2014.9.6)
【手続補正１】
【補正対象書類名】明細書
【補正対象項目名】０００６
【補正方法】変更
【補正の内容】
【０００６】
【図１】ガラス清掃ロボットの基本構成を示す図である。本体Ａ１にバッテリーＡ２、アルゴリズム格納部Ａ３、清掃器具Ａ４、自走部Ａ５、強力磁石Ａ６、スイッチＡ７およびガラスを挟みサブ本体Ｂ１、強力磁石Ｂ２から構成される。
【図２】図１の本体Ｂ１に清掃器具Ｂ３を有するガラス掃除ロボット構成図
【図３】図１の本体Ａ１に水や洗剤のタンクＡ８を有するガラス掃除ロボット構成図
【図４】図１の本体Ａ１にセンサＡ９を有するガラス掃除ロボット構成図
【図５】図１の本体Ａ１およびサブ本体Ｂ１が湾曲したガラスに対応したガラス掃除ロボット構成図
【図６】図１の本体Ａ１およびサブ本体Ｂ１が電磁石の制御による自走するガラス掃除ロボット構成図
【図７】図１の本体Ａ１にタイマＡ１０を有するガラス掃除ロボット構成図
(57)【要約】      （修正有）【課題】曲管内面を掃除して悪臭物質とか異物除去を一掃したい時に簡単にセットでき、スムーズに挿入して清潔な本来の曲管内面を保守管理できるように、収納管の中に空洞球と作用棒が連結したものを組み入れた曲管掃除用具を提供する。【解決手段】収納管２をガイドとして、作用棒５にて空洞球を前後させ、作用棒５の先端部分にクッション材を設けることにより、押込み力の調整がなされ、引っ張りの調整には、空洞球の両先端部分にリング状の球体面にソフトにフィットする止め金具を使用し、連結線８は汚水の化学反応に耐え、水分を吸収しなく、曲げに強く引張強度の強いものを使用し、空洞球は汚水の化学反応に耐え、水分を吸収しなく、圧縮強度の強いものを使用し、曲管内面を掃除する時に、流水が期待されない場合には注水口３より水道水を流入して曲管内面掃除の補助をする。【選択図】図１
2016030256.tif 000002
【特許請求の範囲】
【請求項１】
収納管（２）の中に空洞球（１０）と作用棒（５）が連結したものを組み入れた曲管掃除用具。
【請求項２】
収納管（２）に注水口（３）を設けた曲管掃除用具。
【発明の詳細な説明】
【技術分野】
【０００１】  この発明は、穴の開いた空洞球を収納管から作用棒で前後させる曲管掃除用具に関するものである。
【背景技術】
【０００２】  従来，曲管掃除道具は、棒状に針金を束ね撚り線状態にして先端部分にブラシを付けたものを使用していた。
【先行技術文献】
【非特許文献】
【０００３】
【非特許文献１】特開平５−３２９４５３号公報
【発明の概要】
【発明が解決しようとする課題】
【０００４】  これは、次のような欠点があった。
従来、掃除するときに、スムーズに道具が曲管内面を挿入できなかった。
本発明は、以上のような欠点をなくすためになされたものである。
【課題を解決するための手段】
【０００５】  収納管（２）をガイドとし、空洞球（９）を作用棒（５）で前後させる。
本発明は、以上の構成よりなる曲管掃除用具である。
【発明の効果】
【０００６】  掃除部分が空洞球なので水の抵抗もなく、曲管内面を空洞球の接面で押しあうので方向も自由に可動するので操作がスムーズである。
【図面の簡単な説明】
【０００７】
【図１】  本発明の曲管掃除要領トレース図である。
【図２】  本発明の収納時全体図の斜視図である。
【図３】  本発明の作業時全体図の斜視図である。
【図４】  収納管構成図の斜視図である。
【図５】  作用棒構成図の斜視図である。
【図６】  空洞球構成図の斜視図である。
【図７】  収納管Ａ−Ａ断面の拡大図である。
【図８】  作用棒Ｂ−Ｂ断面の拡大図である。
【図９】  作用棒Ｃ−Ｃ断面の拡大図である。
【図１０】  空洞球Ｄ−Ｄ断面の拡大図である。
【発明を実施するための形態】
【０００８】  以下、本発明を実施するための形態について説明する。
掃除用具（１）は収納管（２）の中に空洞球（１０）と作用棒（５）が連結したものを組み入れる。
本発明は、以上のような構造である。
これを使用するときは、収納管を曲管入口に向けて軽く空洞球を作用棒で押し入れて、曲管内面をまんべんなく掃除するように空洞球を前後させ必要に応じて注水口より水道水を注水して管内面を洗浄すればいい。
【産業上の利用可能性】
【０００９】  本発明は曲管掃除が目的であるが、水洗トイレの曲管内に異物が詰まったものを押し流すこともできる。また、汚水桝の掃除口トラップ部分に付着している不純物も押し流すことができる。
【符号の説明】
【０００１０】  １  掃除用具
２  収納管
３  注水口
４  止めキャップ
５  作用棒
６  ストッパー
７  止めキャップ
８  連結線
９  止め金具
１０  空洞球
１１  クッション材
１２  既設曲管断面
【図１】
2016030256.tif 000003
【図２】
2016030256.tif 000004
【図３】
2016030256.tif 000005
【図４】
2016030256.tif 000006
【図５】
2016030256.tif 000007
【図６】
2016030256.tif 000008
【図７】
2016030256.tif 000009
【図８】
2016030256.tif 000010
【図９】
2016030256.tif 000011
【図１０】
2016030256.tif 000012
(57)【要約】【課題】自然エネルギーである太陽光発電は敷地面積が広く大規模でありその清掃などのメンテナンスは人手で行うことは難しい。そこでごく簡単な設備で日本の四季にあわせて無人で清掃、除雪をおこなう。【解決手段】水上から水下方向にガイドレールを２本配置し、そのガイドレールに直角に、平行移動するワイパー棒を上から下に動かずことにより、太陽光発電パネルの表面を摩擦して汚れを落とす。このとき汚れを浮かす水はパネルに降った雨水を貯水し、ワイパー棒からスポンジで擦り付けるものとする。冬は凍結していないときに上から下まで冬用ワイパーを動かすことにより、除雪する。【選択図】図１
2016030255.tif 000002
【特許請求の範囲】
【請求項１】
太陽光パネルの水上から水下方向に２本のガイドレールを設置し、その間を上下にスライドする、直角に取り付けられたワイパーのついた棒を動かすことにより、パネル表面の塵や雪を水下側に落とす装置。
【請求項２】
請求項１において、上下にスライドする棒は回転することにより、夏用ワイパー、冬用ワイパー、塵を浮かせる洗剤や水の散布、パネル表面の汚れを検出するセンサーなどをパネル表面に向けることができ、小型制御箱により温度や積雪量を監視し、管理人の手に頼らなくてもプログラムにしたがって適切に判断して太陽光パネルの表面を四季を通じてきれいに保つ装置。
【請求項３】
請求項１において、雨を集める樋が水下側についており、雨水をためるタンクが設けられ、夏季にはポンプによりスライド棒から洗浄水を出すことのできる装置。
【請求項４】
請求項１において動作する電源は太陽光パネルから取り、少量の洗剤の他は、洗浄用の水は雨水を利用する、単体の製品として外部からの資源の持込の少ない独立性の高い装置。
【請求項５】
請求項１において洗浄能力を高めるために、上から下にスライドするほかにワイパーの棒を回転して、その摩擦力を高め、清掃の向上を図ることのできる装置。
【発明の詳細な説明】
【技術分野】
【０００１】      本発明は現在普及しつつある野外の太陽光パネルの表面を清掃、除雪する装置の技術分野である。
【背景技術】
【０００２】        太陽光パネルの設置が進み始めたのは、福島の原子力発電の事故で原子力に関する不信感が増したためと、近年の技術進歩で太陽光パネルの電気変換効率が高まったため、また電気を電力会社が買い取る社会基盤が整ったためである。しかし太陽光パネルの規模が大きくなるにつれて、野外に放置されるパネルの清掃についてはまだ考えられなかった。
【先行技術文献】
【特許文献】
【０００３】
【特許文献１】特許公開２０１４−２２５２４  太陽光発電パネル洗浄装置
【発明の概要】
【発明が解決しようとする課題】
【０００４】    大規模になる太陽光発電パネルの清掃は人手で行うのはとても大変である。また東北などの雪国では積雪のため、発電をすることができなかった。
【課題を解決するための手段】
【０００５】    設置型の太陽光パネルは地面に対して３５度の角度がいいといわれているが、その太陽光パネル図１−８に水上から水下の方向にガイドレール図１−１と図１−２を設置し、その間に直角に上下にスライドするワイパー棒図１−３を取り付ける。【０００６】    ワイパー棒は図２−１１、１４のように夏用ワイパー、冬用ワイパーが取り付けられており、ワイパー棒がガイドレールを上から下まで動くときに、太陽光パネルの表面を摩擦することにより、汚れが落ちる。また積雪がある場合は上から下まで雪を滑らせて軒下に落とすことができる。【０００７】    ワイパー棒には図２−１２のようにスポンジがついており、雨水タンク図１−６と洗剤タンク図１−５から図１−７の制御箱からの指令により、ポンプで自在ホース図１−９を通りワイパー棒の孔からスポンジに送り出されて太陽光パネルの表面を濡らし、ワイパーの洗浄能力を高めることができる。【０００８】      図２−１３は光反射センサーであり、ワイパー棒が下から上まで戻る間に回転して下を向き、表面の汚れを検出する。図１−７の制御箱の小型演算器（ＣＰＵ）は汚れが特にひどい部分を見つけ出して、ワイパーや洗浄液のでるスポンジ面を太陽光パネルに数回擦り付けて、汚れを除去する。【０００９】      図１−４は雨樋で雨や洗浄液を受け止め、図１−６のタンクに液体を保存する。これにより水道管を配置しなくても独立して洗浄水を出すことができる。
【発明の効果】
【００１０】      太陽光パネルの洗浄と除雪を人手に頼ることなく、比較的安価にできる。ただし、洗剤は人手または配管で補充する必要がある。
【図面の簡単な説明】
【００１１】
【図１】  本発明の全体図  図１−１  ガイドレール左  図１−２  ガイドレール右  図１−３  ワイパー棒  図１−４  雨樋  図１−５  洗浄液タンク  図１−６  雨水貯水タンク  図１−７  制御箱（ＣＰＵ）セントラルプロセスユニット  図１−８  太陽光パネル  図１−９  配線、配管自在動作ガイド  図１−１０  太陽光発電器からの電源
【図２】  ワイパー棒の断面  図２−１１  夏用ワイパー  図２−１２  給水スポンジ  図２−１３  汚れ検出センサー  図２−１４  冬用ワイパー
【図３】  ガイドレール断面取り付け図
【図４】  電気的配線模式図
【図１】
2016030255.tif 000003
【図２】
2016030255.tif 000004
【図３】
2016030255.tif 000005
【図４】
2016030255.tif 000006
(57)【要約】【課題】家屋、若しくは、事務所等に嵌めこまれた既存の標準化された網戸は枠の外部に取っ手が無く外側から網戸を開ける時不自由であった。これを樹脂製の取っ手を別成型して既成の網戸に任意に、かつ、容易に後付け可能な、開閉操作容易な取っ手の提供を目的とする。【解決手段】本発明は上記課題達成のため、樹脂、若しくは、金属製の上面に凹部を設けて、又は、突起状に設けた側部に指掛け可能な取っ手を別成型して、主に、裏面に離型紙付き両面テープを介して、又は、吸盤式に設けて既成の取っ手無しの網戸の枠外面に任意装着可能に設けて網戸の外部からの開閉操作を容易にすることが出来る。            【選択図】    図１
2016030926.tif 000002
【特許請求の範囲】
【請求項１】
家屋、又は、事務所等の引き戸式ガラス窓に併用される既成の取っ手無しの標準網戸の開閉操作に関するもので、樹脂、又は、金属製からなる突起状成型取っ手を、該側部を、又は、上面に凹部を設けて指掛け可能に形成、かつ、該裏面に両面粘着テープ、又は、接着手段を介して前記網戸枠の外面所定位置に装着して開閉操作容易に構成された網戸用後付け取っ手。
【請求項２】
前記取っ手無しの既成の標準開閉網戸に対し、前記成型取っ手を所定の硬度からなる可撓樹脂製の、かつ、裏面に所定の凹状空間部を有する吸盤機構を配して前記網戸枠外面に吸引装着可能に形成して開閉操作容易に構成された請求項１記載の網戸用後付け取っ手。
【発明の詳細な説明】
【技術分野】
【０００１】
家屋、若しくは、事務所等に嵌め込まれた既成の取っ手無しの標準網戸の開閉操作を容易にするための後付け取っ手に関する。
【背景技術】
【０００２】
従来の家屋、若しくは、事務所等に嵌めこまれた標準網戸は、枠外面が平滑で取っ手無しが多く、外側での開閉操作が不自由であった。
【発明の概要】
【発明が解決しようとする課題】
【０００３】
本発明は、家屋、若しくは、事務所等に嵌めこまれた標準化された既成の網戸の開閉操作は枠部に取っ手無しが多く、特に、外側から網戸を開閉する場合は大変不自由であった。然るに、現在、標準化されている取っ手無しの網戸の設置後の開閉操作を容易にするため、樹脂、又は、金属製の取っ手を成型して、これを、既成の網戸に簡単に装着可能な後付け取っ手の提供を目的とする。
【課題を解決するための手段】
【０００４】
本発明は上記課題を達成するため、請求項１の如く、家屋、又は、事務所等に嵌めこまれた標準化された既成の外面取っ手無しの網戸の開閉操作を容易ならしめるため、樹脂製からなる突起状の、外面に凹部を設けて、若しくは、側部を指掛け可能な成型取っ手を形成し、この取っ手を、裏面に両面粘着テープを介して前記網戸の枠外面所定位置に任意に装着して開閉操作容易に形成することが出来る。尚、該取っ手は金属製で形成することも出来る。かつ、前記両面粘着テープは片面離型紙付きに設けると良く、或いは、装着は接着剤を用いて行うことも出来る。従って、このように別成型の、後取り付け簡単な取っ手を提供することによって日常生活の利便性向上に供与することが出来る。
【０００５】
また、請求項２の如く、本発明の後付け取っ手は、前記取っ手無しの既成の網戸に対し、所定の可撓性を有する樹脂素材を用いて、かつ、裏面に凹状の吸盤機構を配して一体成型の取っ手を形成し、これを前記網戸の枠外面に吸引装着して開閉操作容易に形成することも出来る。このように、裏面に吸盤機能を配した取っ手は、粘着材、或いは、接着材を用いずに簡単に吸引装着可能に形成して更なる利便性を高めることが出来る。
【発明の効果】
【０００６】
本発明の後付け取っ手は、家屋、或いは、事務所等に嵌め込まれて使用されている既存の取っ手無の標準網戸枠外面に、樹脂製の指掛け可能な取っ手を別成型して、かつ、これを裏面に、例えば、両面粘着テープを介して、又は、吸盤機構を配して任意に後付け可能に形成して外部からの網戸の開閉を容易にして利便性を高めることが出来る。
【図面の簡単な説明】
【０００７】
【図１】既成の網戸枠外面に凹部指掛け式に形成された後付け取っ手の装着された様子を示す図。
【図２】同上凹状の指掛け可能な、かつ、粘着テープ式後付け取っ手を示す正面図で片側に断面を示す。
【図３】同上側部指掛け可能な突起状の後付け取っ手を示す正面図。
【図４】同上裏面に吸引機構を配した後付け取っ手の正面図で片側に断面を示す。
【発明を実施するための形態】
【０００８】
以下、本発明の形態を図1〜図４によって説明する。
【実施例１】
【０００９】
本発明の家屋、又は、事務所等に嵌めこまれた引き戸式ガラス窓（図示しない）に併用される既成の取っ手無しの網戸１の開閉操作を容易ならしめるための後付け取っ手２Ａを図１〜３で示すと、樹脂製からなる突起状部材の上面に凹状の指掛部２ａを設けて、裏面に両面粘着テープＡを介して網戸１の枠外面１Ａに任意に後付けで固定装着して開閉操作
容易に形成することが出来る。従って、このように別成型された、かつ、裏面に両面粘着テープＡを配した取っ手２Ａを離型紙Bを併用して装着を簡易に形成して網戸１の網１Ｂを痛めることなく左右の開閉操作を容易にして利便性を高めることが出来る。なお、本後付け取っ手２Ａは図示しないが接着剤を用いて装着することも出来る。
かつ、本発明は図３に示す如く後付け取っ手２Bを、突起する部材の側部指掛け部２ｂ付きに設けて形成することも出来る。かつ、金属製で成型することもできる。
【００１０】
また、本発明の後付け取っ手２Cは、図４に示す如く、既成の取っ手無しの網戸１に対し、所定硬度の可撓性樹脂からなる成型取っ手を裏面に吸盤機構Xを設けて網戸の枠外面１Ａに吸引装着可能に形成して網戸１開閉操作容易な後付け取っ手２Cを形成することも出来る。従って、本吸盤機構X付き後付け取っ手２Cは、外枠の所定の位置に任意に押圧して装着を完了し、網１Ｂを痛めることなく左右の横引き開閉操作を容易に行うことが出来る。
【符号の説明】
【００１１】
１    既成の外面取っ手無しの網戸
１Ａ  同上網戸の外枠          
１Ｂ  網
２Ａ  凹部指掛け式の裏面に両面粘着テープ付き後付け取っ手      
２B  同上突起状側部指掛け式の後付け取っ手
２C  裏面吸盤機構付き後付け取っ手    
2ａ  凹部指掛け部        2ｂ側部指掛け部        
Ａ  両面粘着テープ    B  離型紙      X  吸盤機構          
【図１】
2016030926.tif 000003
【図２】
2016030926.tif 000004
【図３】
2016030926.tif 000005
【図４】
2016030926.tif 000006
(57)【要約】      （修正有）【課題】投げ手に意欲が湧き上がり、練習が楽しくなる投げ輪の提供。【解決手段】主として歴史上や現在の人物を中心に、古今東西の事物、事蹟の名前を記入した名札２を、投げ輪３にも輪受け４にも付けて構成する。【選択図】図３
2016123707.tif 000002
【特許請求の範囲】
【請求項１】
投げ輪３及び輪受け４に名札を付けた輪投げの用具
【発明の詳細な説明】
【技術分野】
【０００１】    この発明は、投げ輪及び輪受けに名札を付けた輪投げに関するものである。
【背景技術】
【０００２】    これまでの輪投げは、丸い輪を棒状の輪受けに投入れてするもので、用具は単純で素朴なものであった。
【発明の開示】
【発明が解決しようとする課題】
【０００３】    これには次のような欠点があった。用具が単純、動きも単純で面白味に欠け、飽きがきて上達せず、運動にもならない結果を招いている。本発明は、この欠点を取除くためになされたものである。
【課題を解決するための手段】
【０００４】    用具である投げ輪３にも又、輪受け４にも名札２を付けることである。名札２には人物を始め事物、事蹟など森羅万象の名前が入れられる。この結果この名前によって、輪の投げ手は、その特定の人物や物に成りきって、これ又因縁のある特定の対象（人間や物）‥‥輪受け４‥‥を目掛けて投げる  云はば見立て投げをすることになる。
この見立て投げには、或る種の感情が入っている訳であるから、この時には、独りでの練習も苦にならず、楽しんでするようになり、運動量も増えるのである。
【発明の効果】
【０００５】    人間は感情の動物である。過去の或る時に、見たり、読んだり又、聞いたりした体験などのあらゆる場面は、その時々の特定の感情、喜怒哀楽の念を伴っている。
従って、或る名前に接した時、条件反射的に脳が反応し、血流が促進され、この刺激が身体の各部に伝わって、行動へと結び付けられる。即ち、サア投げるぞという意欲に結び付くのである。
名前の外にイラスト、写真なども気分を向揚させる。気分が高ぶれば、手足の動きも良くなる。独りでの練習でも、試合での動きにも、名前がなく単に入れればいいだろうという場合に比べて、大きな差が出る。
尚、名札２を付けるのではなく、用具に直接、書込んでもよく、効果に変りはない。
【発明を実施するの最良の形態】
【０００６】    以下、本発明の実施例につき説明する。
既述のように、投げ手の脳を刺激するために、用具に名前を付けるのであるから、投げ輪３と輪受け４に付けられる名前には、相互に強い関連があるのが最上ではある。
例えば、投げ輪３に東京都府中署刑事、輪受け４に３億円強奪白バイ警官変装犯の名札が付けば、投げ手は、約５０年前の事件ではあるが、当時の報道を振り返り想い出しつつ未逮捕の犯人を、ヨシ捕らえるぞとの気合を込めて、投げることになる。
ジャンヌ・ダルクの名札の投げ手は、フランス軍負傷兵の名の輪受けに向かって、優しい目付きの彼女を演じながら投げる。勝海舟対西郷隆盛の組合せでは、どちらが投げ輪の名札に記入されていても、江戸城無血開城の両立役者の情を想起しながらの一投が繰出される。
美空ひばりや淡谷のり子と紅白歌合戦の場合は、投げ手は、港町１３番地や雨のブルースのメロディーを口ずさみつつ、紅白の輪受けに向かって、軽やかに投げる。
チャップリンとライムライト、森光子と女の一生、これらは軽やかなステップとでんぐり返りが、投げ手の気分を和ませる効用がある。
水戸黄門と印籠なら、投げ手は格さんに成り切って、この一投が目に入らぬかとの気合を込めて、輪受けの印籠を目掛ける。
寅さんとマドンナも、男は寅さん、女はマドンナになりきって投げる。
ピッケルと富士山では、投げ輪をうまく投げ入れて、富士山に登った気分の百分の１でも味わいたいという思いで又、１万円札対ジャンボ宝くじでは、１万円札の投げ手は真剣にくじに当たれとばかりの意気込みで投げる。
青色ＬＥＤの投げ輪  ならノーベル物理学賞の輪受け４にスッポリと投げ入れて、バンザイと祝福する気分を味わいたいと思いながら、腕を振るうことになる。
サッカーボールの名札２が付けば、投げ手は、輪受け４のゴール・ポストを目掛けて一心に蹴る積りになる。
以上のような諸例の一投は自発性が特徴であり又、情動投げそして成りきり投げとも表現できる積極性を生じさせることに、優れた効果を発揮している。
【図面の簡単な説明】
【０００７】
【図１】本発明の名札である。
【図２】本発明の名札の他の実施例で名前が記入されたもの。
【図３】本発明の実施例の使用に係る説明イラスト図である。
【符号の説明】
【０００８】１  紐
２  名札
３  投げ輪
４  輪受け
【図１】
2016123707.tif 000003
【図２】
2016123707.tif 000004
【図３】
2016123707.tif 000005
(57)【要約】【課題】  今までの尿瓶では、ベッド上での使用を考えて作ってあるため、使用する時の姿勢が限られる。  尿瓶を持ち歩くのは体裁が悪いので、とっさの緊急時には持っていなくて使えない。  たとえ持ち運ぶとしても、大きくて不便である。  様々な理由があるが、持ち運びするにはかなりの抵抗があった。  それを抵抗なく持ち運び出来、狭い場所などでも使いやすく、蓋も付いた衛生的な尿瓶を提供する。【解決手段】  注ぎ口（１）にペットボトルのキャップに合うネジ部（２）を設け、しっかりとペットボトル（５）に装着出来る物である。  また容易に曲げたり伸ばしたり出来るジャバラ部（３）を設けてあり、こぼれないように蓋（４）付きの注ぎ口を特徴とする。【選択図】図１
2016123703.tif 000002
【特許請求の範囲】
【請求項１】
注ぎ口（１）にペットボトルに合うネジ部（２）を設け、しっかりとペットボトル（５）に装着することが出来る物であり、（４）はこぼれないようにする蓋である。
【発明の詳細な説明】
【技術分野】
【０００１】  この発明は、主に使用済みのペットボトル等を、尿瓶として再利用することを目的とした物である。
【背景技術】
【０００２】  従来飲み終わって空になったペットボトルは、ゴミとして処分していただけであった。
【先行技術文献】
【特許文献】
【０００３】
【発明の概要】
【発明が解決しようとする課題】
【０００４】  今までの尿瓶では、次のような欠点があった。
主に、ベッド上での使用を考えて作ってあるため、使用する時の姿勢が限られる。
尿瓶を持ち歩くのは体裁が悪いので、とっさの緊急時には持っていなくて使えない。
たとえ持ち運ぶとしても、大きくて不便である。
様々な理由があるが、持ち運びするにはかなりの抵抗があった。
本発明は、以上のような欠点をなくすためになされたものである。
【課題を解決するための手段】
【０００５】  本発明は上記目的を達成するために、飲み干した空のペットボトルを利用して、簡単に簡易尿瓶を製作出来る物である。
注ぎ口（１）にペットボトル（５）に合うネジ部（２）を設け、しっかりとペットボトルに装着することが出来る物である。
また容易に曲げたり伸ばしたり出来るジャバラ部（３）を設けてあり、こぼれないような蓋（４）付きである。
本発明は、以上の構成よりなる簡易尿瓶である。
【発明の効果】
【０００６】  注ぎ口がペットボトルにしっかりと装着出来、形状は図のようにジャバラ部分を曲げたり、伸ばしたり出来るため、車内や狭い場所でも使用可能な物である。
注ぎ口を携帯していれば良いので、持ち歩きはスマートである。
高速道路の渋滞時などでどうしてもトイレがない場合など、非常時に空のペットボトルを利用し、尿瓶として使う事が出来て便利である。
蓋も出来るため、こぼれることなく衛生的である。
【図面の簡単な説明】
【０００８】
【図１】  本発明の正面図である。
【図２】  本発明の正面図である。
【図３】  本発明の正面図である。
【図４】  本発明の正面図である。
【発明を実施するための形態】
【０００９】  以下、本発明を実施するための形態について説明する。
注ぎ口（１）にペットボトル（５）に合うネジ部（２）を設ける。
ペットボトルのキャップを外し、キャップの代わりにこの注ぎ口（１）のネジ部（２）をキャップと同じように装着する。ジャバラ部（３）があるため容易に曲げたり伸ばしたり出来、必要があれば蓋（４）が出来る。
【符号の説明】
【００１０】  １  注ぎ口本体
２  ネジ部
３  ジャバラ部
４  蓋
５  ペットボトル
【図１】
2016123703.tif 000003
【図２】
2016123703.tif 000004
【図３】
2016123703.tif 000005
【図４】
2016123703.tif 000006
(57)【要約】【課題】老人は、床面や、道路面にほんのちょっとした突起物があった時に、そこにつま先を当ててしまい転倒することが良くある。【解決手段】靴のつま先を柔らかい物質で靴を製造し、つま先が柔らかいので、ちょっとした突起物でも、つまずいて転ばない靴を提供できる。【選択図】図１
2016123736.tif 000002
【特許請求の範囲】
【請求項１】
つま先部分をシリコンなどの柔らかい素材で構成したことを特徴とする靴
【発明の詳細な説明】
【技術分野】
【０００１】
この発明は、靴のうちつま先で転倒しにくい靴の新製品に該当する。
【背景技術】
【０００２】
従来は、先行技術文献に示すように、転倒防止に幾つかの特許がある。
【先行技術文献】
【特許文献】
【０００３】
【特許文献１】特許公開２００７−２６８２２９、特許出願２００４−３３６９２５があるが、いずれも本発明とは異なる。
【非特許文献】
【０００４】
【非特許文献１】特に、本発明のように、靴先だけを柔らかい構造にした製品は無い。
【発明の概要】
【発明が解決しようとする課題】
【０００５】
老人は、床面や、道路面にほんのちょっとした突起物があった時に、そこにつま先を当ててしまい転倒することが良くある。
【課題を解決するための手段】
【０００６】
本発明は、靴のつま先を柔らかい物質で靴を製造し、つま先が柔らかいので、ちょっとした突起物でも、つまずいて転ばない靴を提供できる。
【発明の効果】
【０００７】
本発明により、安価で、簡単ではあるが、老人などが、床面や道路面のちょっとした突起物でも転ばない靴を提供できる。
【図面の簡単な説明】
【０００８】
【図１】図１つま先のみ柔らかい靴の構造図を示す
【発明を実施するための形態】
【０００９】
実地の１形態を以下の実施例で説明する。
【実施例】
【００１０】
図１はつま先のみ柔らかい靴の構造図を示す。図でBは従来の革などの素材で作られた靴である。図でAはシリコンやプラスチックなどの柔らかい素材で構成する。さらに、躓いて転倒を防止するためには、靴先を図のように地面から少し離れた構造にすると良い。
【産業上の利用可能性】
【００１１】
このような簡単な構造であるので製品化も行いやすく、身につけても違和感が少ないので、多数の人に愛用される可能性が高い。
【符号の説明】
【００１２】
Aはシリコンなどの柔らかい素材
Bは革などの従来の靴の素材
【図１】
2016123736.tif 000003
(57)【要約】【課題】個体「Ａ」の組織細胞や幹細胞を用いることなく，その組織細胞と同じ部位の別の個体「Ｂ」の組織細胞を使用して，個体「Ａ」のその組織細胞と同じ性質（個体差）を持つ組織細胞を培養する方法を提供する。【解決の手段】個体「Ｂ」の組織細胞から細胞核を取り除き，個体「Ａ」の細胞核を移植して培養することを特徴とする。このとき個体「Ａ」の細胞核は，培養しようとする組織細胞と同じ部位の細胞のものである必要はない。【特許請求の範囲】
【請求項１】
培養しようとする個体「Ａ」の組織細胞と同じ部位の別の個体「Ｂ」の組織細胞から細胞核を取り除き，その個体「Ｂ」の組織細胞に個体「Ａ」の細胞から採取した細胞核「ａ」を移植して培養することを特徴とする個体「Ａ」の性質（個体差）を持つ組織細胞の培養方法である。
【発明の詳細な説明】
【技術分野】
【０００１】  本発明は個体「Ｂ」の組織細胞に個体「Ａ」の細胞核「ａ」を移植して，個体「Ａ」の性質（個体差）を持つ組織細胞を培養する方法に関するものである。
【背景技術】
【０００２】  従来，個体「Ａ」の組織細胞を培養するには，個体「Ａ」の同じ組織細胞もしくは個体「Ａ」の幹細胞を用いる必要があった。
【発明の概要】
【発明が解決しようとする課題】
【０００３】  これは次のような欠点があった。
（イ）個体「Ａ」の同じ組織細胞を用いて，個体「Ａ」の組織細胞を培養する場合には，個体「Ａ」の同じ組織細胞がなければ培養できなかった。
（ロ）幹細胞を作る技術はまだ完全に確立されていないために，個体「Ａ」の幹細胞を作り個体「Ａ」の組織細胞の培養をすることは，必ずしもできるわけではなかった。
本発明は，以上のような欠点をなくすためになされたものである。
【課題を解決するための手段】
【０００４】  培養しようとする個体「Ａ」の組織細胞と同じ部位の個体「Ｂ」の組織細胞から細胞核を取り除き，その個体「Ｂ」の組織細胞に個体「Ａ」の細胞から採取した細胞核「ａ」を移植して培養する。
本発明は以上の方法により個体「Ａ」の性質（個体差）を持つ組織細胞を培養するものである。
【発明の効果】
【０００５】（イ）培養しようとする個体「Ａ」の組織細胞がなくても，別の個体「Ｂ」の同じ部位の組織細胞を使うことで，個体「Ａ」の性質（個体差）を持つ組織細胞を作ることができる。これによって，病気や怪我で失った患者の臓器や器官を他の人の組織細胞を用いてその患者と同じ遺伝情報に基づいた組織細胞を容易に人工的に作ることができ，再生医療に応用できる。
（ロ）失った個体「Ａ」の組織細胞を人工的に作り出すのに，人工多能性幹細胞などに関係する難しい技術を必要としない。
【発明を実施するための形態】
【０００６】  以下，本発明の実施をするための形態について説明する。
個体「Ｂ」の組織細胞から細胞核を取り除く。
個体「Ａ」の細胞から細胞核「ａ」を採取する。
細胞核を取り除いた個体「Ｂ」の組織細胞に細胞核「ａ」を移植して培養する。
本発明は，以上のような方法である。
本発明を実施する際に採取する細胞核「ａ」は個体「Ａ」の細胞であれば基本的にどこの部位の細胞の細胞核であってもかまわない。培養しようとする組織細胞と同じ部位のものである必要はない。但し卵子や精子の細胞核は使用してはいけない。
一度分化した組織細胞は酵素などの働きによって別の組織細胞に変わることはない。組織細胞の細胞核を別の個体の細胞核と入れ替えても，その組織細胞は，取り除かれた細胞核に対しても，新しく入ってきた細胞核に対しても，ＤＮＡの同じ場所からしか遺伝情報を引き出すことができない。よって，もともと持っていた組織細胞の機能や構造が壊われることなく，その組織細胞が持つ個体差のみが新しく入ってきた細胞核の遺伝子の持つ性質に変わるのである。
本発明を用いれば個体「Ａ」の培養しようとする組織細胞や幹細胞がなくても，別の個体「Ｂ」の同じ部位の組織細胞を容易に培養でき，再生医療などに応用することができる。
(57)【要約】      （修正有）【課題】一般的に使用されている畝を覆う為のビニールシートや支柱などに変えて、大幅なコスト削減が可能な野菜育苗器具を提供する。【解決手段】再利用する為に廃棄しているペットボトルを原料とした、テーパーのついた筒１および中心部に穴３をあけたテーパーのついた蓋２から構成される。【選択図】図１
2016123401.tif 000002
【特許請求の範囲】
【請求項１】
廃棄されるペットボトルを原料とし透明がベストであるが若干の色度があっても可能で有る為、回収されたペットボトルの選別を特に必要としない
【請求項２】
筒状本体と蓋を１セットとしそれぞれ若干のテーパーを付けた形状として梱包体積を最小限とする
又蓋は内側に向かって角度を付けその中心部に穴を設ける事で散水時に蓋を取る作業を不要とする事が出来る
【請求項３】
プランター又は畑地に直接置き、本体内に腐葉土などを入れて盛土の状態で使用する又かぶせる蓋によって育苗時の害虫の防御や低温などの悪天候に左右されない効果がある
【請求項４】
筒状本体内部に存在する土が昼間の太陽熱で適度に加熱され、気温が下がる日の入り以降も保温効果によって根の成長が促進される事で著しい成長が見込める
【発明の詳細な説明】
【技術分野】
【発明の概要】
【０００１】再利用する為に廃棄しているペットボトルを原料として野菜育苗器具を製造する
【０００２】１器具に１個の種をまくので間引きなどの作業がなくなり無駄が出ない又発芽しない場合には直ちに種を再度撒ける事が可能
【０００３】通常廃棄ペットボトルは透明な物と色度のある物を選別する必要が有るが本発明の場合多少の混入までは可能となり選別によるコストアップを避ける事が出来る
【発明が解決しようとする課題】
【０００４】一般的に使用されている畝を覆う為のビニールシートや支柱など
１回だけの使用で廃棄される場合が多いが本考察ではこれらのコストを低減する為に考え出された商品である設計上大量生産が可能な為大幅なコスト削減も考えられる
又、従来の諸問題点の多くを解決し育苗作業を簡易なものにする為考えられたものでその内容は以下の通りである
（１）害虫防御
上部蓋によって蝶などの卵の植え付け防止
（２）耐天候性
上部蓋により耐天候性が保たれる風、霜、きつい降雨、雪など
又、筒状内の土が日の入り以降も保温され根の部分が暖かい状態が保たれるので植物自体の成長が早められる
（３）給水忘れの予防
蓋と筒状上部の内面部分に結露が出来、若干の水分補給が自然現象としてなされる
（４）野鳥被害の防止
蓋によって野鳥による被害防止特に芽が出てくる初期の段階での効果が大きい
（５）現状の家庭菜園は栽培可能場所が制限されるが本発明品を使用すれば葉物、根菜類を容易に育てる事が可能になり場所が狭い通路や日当たりの悪い場所などでの栽培でも可能
（６）土中に潜む根切り虫などの被害軽減  これらは日中の光に弱い為、容器内に上がって来る事が少なくなるので成長期の根の部分が保護される
（７）低学年児童の情操教育にも向いている栽培方法がとれる低学年児童用として本発明品に使用者氏名を記入する事で自分が育てる責任感が増大する
（８）現在の家庭菜園では種類が多く中には素人に難しい育苗、栽培方法など有るが本考案は比較的簡易に行える
【課題を解決する為の手段】
【０００５】（１）廃棄品として回収されるペットボトルは一般的に再利用されているが新規の用途さえ開発出来ればその利用価値は今後共増大するものと考えられる  その一助になればと確信し考案したものである
（２）回収したペットボトルは通常透明なものとそれ以外を選別しているが本発明はその必要がなくその分のコストダウンが見込まれる
（３）別図に示す通りそれぞれに若干のテーパーを付ける事で梱包体積を少なくしている
（４）別図に示す通り蓋中心部に穴を設けるので散水が容易になる
又、円筒内の温度上昇を自然にコントロール出来る構造になっている
【発明の効果】
【０００６】（１）蓋を付属品としている為野鳥、害虫から防御される又耐天候性が有るので発芽の失敗が起こりにくい
（２）蓋の中心部に穴を設けているので散水が容易に行える
（３）名前を記入する事により低学年児童の専有品として使用出来るので情操教育や環境に関する教育に使える
（４）蒔く種を最少量に出来る為種の無駄が起こらない又間引きの手間が減少する
【図面の簡単な説明】
【図１】筒状の本体と蓋で構成され、各々適度なテーパーがついている事、又最大のポイントは蓋の中心部に穴を設けている事である
【発明を実施する為の形態】
【０００７】筒状の本体を畑地又はプランターの上に置き内部に土や腐葉土を入れて種を蒔き後に付属の蓋をかぶせて使用する
【符号の説明】
【０００８】（１）テーパーのついた筒状の本体
（２）テーパーのついた蓋
（３）蓋中心部の穴
（４）土、腐葉土など
（５）適度な空間
（６）畑地やプランター、鉢などの上面
【図１】
2016123401.tif 000003
(57)【要約】【課題】  オフィスや学校の机上で睡眠をとる際、自己の腕を枕代わりにすると、しびれを発生させるだけでなく寝付きも悪く、限られた休み時間を有効に活用し辛かった。  本発明は机上に常時置いてあるペンケースに枕の機能を付けることにより、周囲を気にせず心地良い睡眠を提供する。  直方体の３段階の高さから自身に快適な高さを選べることで寝付きを良くし、限られた休み時間の有効活用を目的とする。【解決手段】  直方体ペンケースの一番小さい面１面ぐるりにファスナーを設け、中身が出し入れ出来るようにする。  ＥＶＡのような頭部重量を支えても変形せず、且つ心地良い弾力のあるクッション素材をペンケースの中にぴったりと入れる。クッション素材には筆記具が入る空洞を設ける。【選択図】図１
2016123832.tif 000002
【特許請求の範囲】
【請求項１】
頭部重量を支えても変形せず且つ弾力のある素材を直方体にし、筆記具が入るように空洞を設け、それをカバーで覆い、筆記具が出し入れ出来るようにカバーのふたをファスナーでつなげたペンケース枕。
【発明の詳細な説明】
【技術分野】
【０００１】  本発明は机上で睡眠をとる時に使う、枕になるペンケースに関するものである。
【背景技術】
【０００２】  従来、オフィスや学校で睡眠をとる際、机上で自己の両腕を枕代わりにしていた。
【先行技術文献】
【特許文献】
【０００３】
【発明の概要】
【発明が解決しようとする課題】
【０００４】  机上で自己の腕を枕代わりにすると、しびれを発生させるだけでなく、寝付きも悪く、限られた休み時間を有効に活用し辛かった。
また、枕を携帯するには重さや大きさの面で無理があった。
本発明は以上の問題を解決するためになされたものである。
【課題を解決するための手段】
【０００５】  直方体のペンケースの一番小さい面１面ぐるりにファスナーを設け、中身が出し入れ出来るようにする。
ＥＶＡのような頭部重量を支えても変形せず、且つ心地良い弾力のあるクッション素材をペンケースの中にぴったりと入れる。
クッション素材には、筆記具が入る空洞を空ける。
【発明の効果】
【０００６】  オフィスや学校の机上に常時あるペンケースに枕の機能を付けることにより周囲を気にせず机上での心地良い睡眠が可能になる。
直方体にすることにより、自身の快適な高さを３段階から選べ、寝付きを良くし限られた休み時間を従来より有効的に睡眠に当てることが出来る。
【図面の簡単な説明】
【０００７】
【図１】  本発明の斜視図
【発明を実施するための形態】
【０００８】    以下、本発明の実施の形態を説明する。
（イ）ふた（４）はカバー（１）と短い辺１辺がつながっている。残りの３辺はファスナー（３）でつなげる。
（ロ）カバー（１）にぴったり入る直方体のクッション（２）は筆記具が入るように空洞を空けておく。
（ハ）クッション（２）は頭部を乗せても形が崩れず、中に入れる筆記具を傷めず、且つほどよい弾力がある、ＥＶＡ等の素材を使用する。
（二）カバー（１）はよだれジミが目立たず肌触りの良い素材を使用する。
本発明は以上のような構造である。
本発明を使用する時は、普段はペンケースとして、そして机上で睡眠をとる場合は枕として使用する。
枕として使用する場合はふた（４）をファスナー（３）で閉じ、中の筆記具が出ないようにし、３段階の一番快適な高さを選び頭部を乗せる。
【符号の説明】
【０００９】    １カバー、２クッション、３ファスナー、４ふた
【図１】
2016123832.tif 000003